(57)【特許請求の範囲】
【請求項１】
断熱箱体(12)の内部に冷蔵室(14)を画成し、前記断熱箱体(12)の冷蔵室(14)を画成する左右の内壁(28,28)に、前後方向に所要間隔で複数の係止孔(36)を夫々穿設し、前記各内壁(28)の前後方向に整列する係止孔(36)に取付けられ、トレイ(26)が前後方向に摺動自在に載置される一対のトレイ板(32,32)の夫々を、前記各係止孔(36)に係合する係止片(34)が上端に夫々形成され、各係止片(34)を対応する係止孔(36)に係合した状態で内壁(28)に当接する垂直辺(32a)と、前記垂直辺(32a)の下端に連設され、前記内壁(28)に対して内側に水平に延在して前記トレイ(26)が摺動自在に載置される水平辺(32b)とから構成した冷蔵庫のトレイ支持構造において、
前記水平辺(32b)における垂直辺(32a)との連設部側で、摺動自在に載置された前記トレイ(26)で塞がれない位置に、上下に連通する抜孔(38)を形成し、
前記断熱箱体(12)の内壁(28)に係止片(34)を介して取付けられたトレイ板(32)の前記水平辺(32b)に前記トレイ(26)が摺動自在に載置された状態で前記抜孔(38)を介して冷気が上下に流通するよう構成した
ことを特徴とする冷蔵庫のトレイ支持構造。
【請求項２】
前記水平辺(32b)の長手方向の両端部に切欠部(40)が夫々形成され、前記内壁(28)にトレイ板(32)を取付けた状態で、各切欠部(40)が冷気の上下の流通を許容する請求項１記載の冷蔵庫のトレイ支持構造。
【発明の詳細な説明】
【０００１】
【発明の属する技術分野】
この発明は、冷蔵庫のトレイ支持構造に関し、更に詳しくは、冷蔵庫の内部に画成した冷蔵室に前後方向に摺動自在に収納されるトレイを、冷蔵室の内壁に直接取付けたトレイ板で支持するようにした冷蔵庫のトレイ支持構造に関するものである。
【０００２】
【従来の技術】
図３に示す業務用の縦型冷蔵庫１０は、外箱と内箱との間に断熱材を充填した断熱箱体１２を有し、該箱体１２の内部に、被冷蔵物品の冷蔵室１４を画成している。また断熱箱体１２の上部に機械室１６が形成され、該機械室１６に圧縮機や凝縮器等からなる冷凍装置１８が収納されている。更に、前記冷蔵室１４の内部天井に冷却ダクト２０が配設され、前記冷凍装置１８で冷却された冷気を該冷却ダクト２０を介して冷蔵室１４の内部に循環させるよう構成している。なお断熱箱体１２の前面には、該箱体１２に開設した開口２２を開閉自在に閉塞する断熱扉２４が配設される。そして前記冷蔵室１４に、内部に各種の被冷蔵物品を収容載置するためのトレイ２６が、開口２２を介して外部に引出し自在に収納されるようになっている。
【０００３】
すなわち、冷蔵室１４を画成する左右の内壁２８,２８には、図５に示す如く、前後方向に所定間隔で複数(例えば２本)の棚受柱３０が垂直に夫々立設され、各棚受柱３０には上下方向に所定間隔で複数の係止孔３０ａが形成されている。そして、同一平面内にある係止孔３０ａ,３０ａにトレイ板３２が取付けられるよう構成されている。このトレイ板３２は、図５に示すように、板金等の板材を略直角に折曲げて、垂直辺３２ａおよび水平辺３２ｂからなるＬ字形状に構成される。前記垂直辺３２ａの上端縁に、前記棚受柱３０,３０に形成した係止孔３０ａ,３０ａの間隔だけ離間して係止片３４,３４が形成され、各係止片３４を対応する係止孔３０ａに係合することにより、水平辺３２ｂが棚受柱３０に対し水平に延在した状態で当該トレイ板３２が棚受柱３０,３０に取付けられる(図４参照)。そして、図３に示すように、左右に対向する一対のトレイ板３２,３２の水平辺３２ｂ,３２ｂに、トレイ２６が前後方向に摺動自在に載置されるようになっている。
【０００４】
【発明が解決しようとする課題】
前述した縦型冷蔵庫１０では、トレイ板３２,３２を取付けるための棚受柱３０,３０が、左右の内壁２８から夫々内側に長さＨ(図４参照)だけ突出しているため、冷蔵室１４の有効に利用し得る内容積が小さくなる問題がある。すなわち、前記トレイ２６としては、棚受柱３０,３０の突出長さ(２×Ｈ)分を考慮した幅寸法のものを使用する必要があり、被冷蔵物品の収容量が少なくなってしまう。殊に図に示す縦型冷蔵庫１０のように冷蔵室１４が縦長の場合に、有効内容積の損失が大きくなる。なお、断熱箱体１２における断熱材の厚みを薄く設定することにより、冷蔵庫自体を大型化することなく所要の有効内容積を確保することはできるが、このときには断熱効果の低下によって断熱箱体１２の外面に結露を生ずるという別の問題を招いてしまう欠点が指摘される。
【０００５】
そこで、前記問題に対処する手段として、トレイ板３２を冷蔵室１４の内壁２８に直接取付けることで、断熱効果を低下させることなく有効内容積の損失を少なくすることは可能となる。しかるにこの場合は、トレイ板３２の垂直辺３２ａが内壁２８に略密着するため、室内の冷気の流れが各トレイ板３２の水平辺３２ｂで遮断され、室内温度の分布が不均一となって一部の被冷蔵物品が劣化する問題を招く。また内壁２８を流下する水滴がトレイ板３２の水平辺３２ｂに溜り、この水滴が水平辺３２ｂの開放端から下方のトレイ２６に滴下することがあり、被冷蔵物品を濡らしてしまう問題も指摘される。
【０００６】
【発明の目的】
この発明は、前述した従来の技術に内在している前記欠点に鑑み、これを好適に解決するべく提案されたものであって、冷蔵室の有効内容積の損失を少なく抑え、併せて室内の温度分布が不均一となるのを防止すると共に、水滴により被冷蔵物品が濡れるのを防ぐことのできる冷蔵庫のトレイ支持構造を提供することを目的とする。
【０００７】
【課題を解決するための手段】
前記課題を解決し、所期の目的を達成するため本発明は、断熱箱体の内部に冷蔵室を画成し、前記断熱箱体の冷蔵室を画成する左右の内壁に、前後方向に所要間隔で複数の係止孔を夫々穿設し、前記各内壁の前後方向に整列する係止孔に取付けられ、トレイが前後方向に摺動自在に載置される一対のトレイ板の夫々を、前記各係止孔に係合する係止片が上端に夫々形成され、各係止片を対応する係止孔に係合した状態で内壁に当接する垂直辺と、前記垂直辺の下端に連設され、前記内壁に対して内側に水平に延在して前記トレイが摺動自在に載置される水平辺とから構成した冷蔵庫のトレイ支持構造において、
前記水平辺における垂直辺との連設部側で、摺動自在に載置された前記トレイで塞がれない位置に、上下に連通する抜孔を形成し、
前記断熱箱体の内壁に係止片を介して取付けられたトレイ板の前記水平辺に前記トレイが摺動自在に載置された状態で前記抜孔を介して冷気が上下に流通するよう構成したことを特徴とする。
【０００８】
【発明の実施の形態】
次に、本発明に係る冷蔵庫のトレイ支持構造につき、好適な実施例を挙げて添付図面を参照しながら、以下詳細に説明する。なお、従来の技術で説明した部材と同一の部材には同じ符号を付して示すものとする。
【０００９】
図１に示すように、縦型冷蔵庫１０における断熱箱体１２の内壁２８に、前後方向に所要間隔で複数(実施例では２個)の係止孔３６が形成され、これら係止孔３６は上下方向にも所要間隔で複数形成されている。そして、同一水平面内に位置する係止孔３６,３６を介してトレイ板３２が内壁２８に直接取付けられるようになっている。このトレイ板３２は、板金を略直角に折曲して垂直辺３２ａと水平辺３２ｂとを形成したＬ字形状に構成されている。垂直辺３２ａは、図に示すように、前後方向に離間する係止孔３６,３６の離間寸法と略同一の長さ寸法(前後方向の寸法)に設定され、その上端における長さ方向両端部に、各係止孔３６に係合可能な係止片３４が夫々形成されている。そして、各係止片３４を対応の係止孔３６に係合することにより、当該のトレイ板３２が内壁２８に取付けられる。
【００１０】
前記トレイ板３２の内壁２８への取付け状態では、図２に示すように、垂直辺３２ａが内壁２８に略密着すると共に、該垂直辺３２ａの下端に連設する水平辺３２ｂが内壁２８に対して内側に向けて水平に延在するようになっている。すなわち、冷蔵室１４における左右の内壁２８,２８に対向的に取付けられたトレイ板３２,３２における水平辺３２ｂ,３２ｂに、被冷蔵物品を収容するトレイ２６が前後方向に摺動自在に載置される。なお、図１において符号４２は、断熱箱体１２の断熱材を示す。
【００１１】
前記トレイ板３２の水平辺３２ｂには、図１に示すように、垂直辺３２ａとの連設部側に上下に連通する抜孔３８が形成されており、内壁２８に沿って流れる冷気を該抜孔３８を介して上下に流通させ得るよう構成している。また水平辺３２ｂは、垂直辺３２ａより長さ寸法が長く設定されると共に、垂直辺３２ａの端部から長さ方向に延出する部位に内側に凹設された切欠部４０が夫々形成されている。この切欠部４０は、トレイ板３２を内壁２８に取付けた状態で、内壁２８と水平辺３２ｂとの間に所要の隙間を画成するべく機能し、該切欠部４０においても冷気の流通が行なわれるようになっている。すなわち、トレイ板３２を内壁２８に直接取付けても、抜孔３８および切欠部４０,４０を介して冷気は上下に流通し、冷蔵室１４における温度分布の均一化を図ることができる。なお、前記トレイ２６は、水平辺３２ｂにおける抜孔３８および切欠部４０,４０を塞がない位置に載置されるよう設定されている(図２参照)。
【００１２】
このように実施例に係るトレイ支持構造では、冷蔵室１４の冷気循環を損なうことなく、トレイ板３２を内壁２８に直接取付けることができるから、冷蔵室１４における有効内容積の損失を少なく抑えると共に、温度分布の不均一に起因する被冷蔵物品の劣化を防止することができる。また、内壁２８を流下する水滴は、前記トレイ板３２の取付け位置においても抜孔３６や切欠部４０,４０を介して引続いて内壁２８を流下するから、水平辺３２ｂに水滴が溜ったり、水平辺３２ｂの開放端から水滴が下方に滴下して被冷蔵物品を濡らすのを未然に防止することができる。
【００１３】
なお図示の実施例では、矩形状の抜孔を１つだけ水平辺に形成した場合につき説明したが、本発明はこれに限定されるものではなく、角形状や丸形状の複数の抜孔を所定間隔で形成するようにしてもよい。またトレイ支持構造が採用される冷蔵庫としては縦型に限らず横型であってもよい。
【００１４】
【発明の効果】
以上説明した如く、本発明に係る冷蔵庫のトレイ支持構造によれば、トレイ板を冷蔵室の内壁に直接取付けるから、冷蔵室における有効内容積の損失を少なく抑えることができる。しかも、トレイ板の水平辺における摺動自在に載置されたトレイで塞がれない位置に抜孔を設けたので、冷蔵室の冷気循環を妨げることもなく、冷蔵室の温度分布を均一にすることができ、収容位置によって被冷蔵物品が劣化するのを防止し得る。また、冷蔵室の内壁を流下する水滴が水平辺に溜まることはなく、水平辺の開放端から水滴が滴下して下方の被冷蔵物品を濡らすのを防止し得る利点を有する。
【図面の簡単な説明】
【図１】  本発明の実施例に係る冷蔵庫のトレイ支持構造を示す概略斜視図である。
【図２】  実施例に係るトレイ支持構造を一部縦断して示す要部側断面図である。
【図３】  従来技術に係るトレイ支持構造を採用した冷蔵庫を示す正面図である。
【図４】  従来技術に係る冷蔵庫のトレイ支持構造を一部縦断して示す要部側面図である。
【図５】  従来技術に係るトレイ支持構造を示す概略斜視図である。
【符号の説明】
１２ 断熱箱体，１４ 冷蔵室，２６ トレイ，２８ 内壁，３２ トレイ板
３２ａ 垂直辺，３２ｂ 水平辺，３４ 係止片，３６ 係止孔，３８ 抜孔
４０ 切欠部
【図１】
0003635737.tif 000002
【図２】
0003635737.tif 000003
【図３】
0003635737.tif 000004
【図４】
0003635737.tif 000005
【図５】
0003635737.tif 000006